(57)【要約】【課題】貯水タンク内の水を洗浄槽内に給水し洗浄する機能を有する食器洗い機において、複雑な構造の分岐水栓を必要とせず、専門家による取り付け工事も必要とせず、設置性、安全性、使い勝手を大幅に向上し、低コスト、省エネルギーを実現するとともに洗浄時の騒音を低減し、基本性能等を大幅に向上する。【解決手段】食器などの被洗浄物１４を洗浄する洗浄槽１９内に給水する水を貯水タンク２０に貯水し、貯水タンク２０の水を給水ポンプ２６と給水ホース２７により洗浄槽１９内に給水する。貯水タンク２０に水道水栓に設けた給水継手より分岐させて給水し、洗浄槽１９と貯水タンク２０は、互いの側壁２１が一体となるように構成し、樹脂で形成する。【選択図】図１
2005124600.tif 000002
【特許請求の範囲】
【請求項１】
食器などの被洗浄物を洗浄する洗浄槽と、前記洗浄槽内に給水する水を貯水する貯水タンクと、前記貯水タンクの水を前記洗浄槽内に給水する給水手段とを備え、前記貯水タンクに水道水栓に設けた給水継手より分岐させて給水し、前記洗浄槽と前記貯水タンクは、互いの側壁が一体となるように構成し、樹脂で形成した食器洗い機。
【請求項２】
貯水タンクを、洗浄槽の少なくとも一つの面に設けた請求項１記載の食器洗い機。
【請求項３】
貯水タンクの上面を開閉自在に構成にした請求項１または２記載の食器洗い機。
【請求項４】
給水手段により貯水タンクより洗浄槽内に給水する給水経路の少なくとも一部の高さを、オーバーフロー口の高さより上になるように構成した請求項１〜３のいずれか１項に記載の食器洗い機。
【請求項５】
洗浄槽の洗浄水位の高さより上になるように貯水タンクを設けた請求項１〜４のいずれか１項に記載の食器洗い機。
【請求項６】
食器などの被洗浄物を洗浄する洗浄槽と、前記洗浄槽内に給水する水を貯水する貯水タンクと、前記洗浄槽と貯水タンクとを配設した食器洗い機本体とを備え、前記貯水タンクの少なくとも一部分を外部から透視可能に構成した食器洗い機。
【請求項７】
食器などの被洗浄物を洗浄する洗浄槽と、前記洗浄槽内に給水する水を貯水する貯水タンクと、前記洗浄槽と貯水タンクとを配設した食器洗い機本体とを備え、前記食器洗い機本体の見えやすい位置に管を配設し、貯水タンクの下方部と前記管を連通して、貯水タンクの水位を視認可能とした食器洗い機。
【発明の詳細な説明】
【技術分野】
【０００１】
本発明は、貯水タンク内の水を洗浄槽内に給水し洗浄する機能を有する食器洗い機に関するものである。
【背景技術】
【０００２】
従来、代表的な食器洗い機は、分岐水栓から洗浄に必要な水を分岐させて給水し、洗浄するものであり、図４および図５に示すように構成していた。以下、その構成について説明する。
【０００３】
図４および図５に示すように、食器洗い機本体１は、内部に洗浄槽２を設けており、この洗浄槽２内へ水道水栓３に取付けた分岐水栓４から水を分岐させ、給水弁５を開閉することにより水または湯を供給するようにしている。分岐水栓４から給水弁５までは給水ホース６で接続している。洗浄槽２の底部には排水孔７を設け、この排水孔７に連通し、モータ８によって駆動される洗浄ポンプ９を取り付け、この洗浄ポンプ９により洗浄水を洗浄槽２の内部に循環するよう構成している。モータ８、給水弁５等の電装部品の動作は制御回路１０で制御されている。また、排水孔７には残さいを捕集する残さいフィルタ１１を具備している。
【０００４】
洗浄ノズル１２と洗浄槽２の底部との間には、洗浄水加熱用のヒータ１３を装備し、洗浄ノズル１２の上方には、食器などの被洗浄物１４を整然と配置でき、洗浄水を効果的に被洗浄物１４に噴射するように構成した食器かご１５を設置して効率的に洗浄を行っている。同時に、洗浄ノズル１２からの洗浄水の一部は、洗浄槽２にも当り、洗浄槽２も洗っている。また、排水ポンプ１６は、排水ホース１７を通して洗浄水を機外に排出するものである（例えば、特許文献１参照）。
【特許文献１】特開２００３−２１０３７８号公報
【発明の開示】
【発明が解決しようとする課題】
【０００５】
しかしながら、このような従来の構成では、水道水栓３に分岐水栓４を設け、分岐水栓４に給水ホース６を接続することにより、洗浄槽２内に水を供給しており、分岐水栓４は、通常、常時開放で使用されるため、水道水圧が直接かかるため、耐圧構造が必要であり、分岐水栓４の構造が非常に複雑になっていた。しかも、水道水栓３ごとに適合した分岐水栓が必要であり、種類も多くなり、専門家による取り付け工事も必要で、益々、食器洗い機を使い難いものにしていた。
【０００６】
分岐水栓４を用いないで、水道水栓３に直接給水ホース６を接続する使用方法も有るが、食器洗い機の使用時は水道水栓３が他に使えないという不便さがあった。しかも、水道水栓３の閉鎖を忘れると、給水ホース６の接続が外れたり、給水ホース６が水圧により破れたりすると、水漏れを起こしていた。また、給水量の制御は、食器洗い機に設けた給水弁５を開閉することによって行われており、分岐水栓４が開放時は、給水弁５にも水道水圧が直接かかるため、同様に耐圧構造が必要であった。
【０００７】
本発明は上記従来の課題を解決するもので、複雑な構造の分岐水栓を必要とせず、専門家による取り付け工事も必要とせず、設置性、安全性、使い勝手を大幅に向上し、低コスト、省エネルギーを実現するとともに洗浄時の騒音を低減し、基本性能等を大幅に向上することを第１の目的としている。
【０００８】
また、貯水タンクに貯まっている水量を容易に視認できるようにし、水道水栓を適切なタイミングで閉栓できるようにすることを第２の目的としている。
【課題を解決するための手段】
【０００９】
本発明は上記第１の目的を達成するために、食器などの被洗浄物を洗浄する洗浄槽内に給水する水を貯水タンクに貯水し、貯水タンクの水を給水手段により洗浄槽内に給水するよう構成し、貯水タンクに水道水栓に設けた給水継手より分岐させて給水し、洗浄槽と貯水タンクは、互いの側壁が一体となるように構成し、樹脂で形成したものである。
【００１０】
これにより、複雑な構造の分岐水栓を必要とせず、専門家による取り付け工事も必要とせず、設置性、安全性、使い勝手を大幅に向上することができ、低コスト、省エネルギーを実現できるとともに、洗浄時の騒音を低減することができ、基本性能等を大幅に向上することができる。
【００１１】
また、上記第２の目的を達成するために、食器などの被洗浄物を洗浄する洗浄槽内に給水する水を貯水タンクに貯水し、洗浄槽と貯水タンクとを食器洗い機本体内に配設し、貯水タンクの少なくとも一部分を外部から透視可能に構成したものである。
【００１２】
これにより、貯水タンクに貯まっている水量を容易に視認することができ、水道水栓を適切なタイミングで閉栓することができる。
【発明の効果】
【００１３】
本発明の食器洗い機は、複雑な構造の分岐水栓を必要とせず、専門家による取り付け工事も必要とせず、簡易な形状の給水継手で構成でき、設置性、安全性、使い勝手を大幅に向上することができ、低コスト、省エネネギーを実現できるとともに、洗浄時の騒音を低減することができ、基本性能等を大幅に向上することができる。
【発明を実施するための最良の形態】
【００１４】
第１の発明は、食器などの被洗浄物を洗浄する洗浄槽と、前記洗浄槽内に給水する水を貯水する貯水タンクと、前記貯水タンクの水を前記洗浄槽内に給水する給水手段とを備え、前記貯水タンクに水道水栓に設けた給水継手より分岐させて給水し、前記洗浄槽と前記貯水タンクは、互いの側壁が一体となるように構成し、樹脂で形成したものであり、洗浄に使う水を貯水タンクに一旦貯めるので、水道水圧が大気に開放され、水道水栓の開閉で給水を行う場合は、水道水圧が直接かからないので、耐圧構造を必要とせず、分岐水栓の構造を簡易な形状の給水継手等で構成できる。しかも、貯水タンクと洗浄槽を一体としているので、加熱された洗浄水が側壁に当ることによって、貯水タンクに貯まっている水を加熱することができるので、以後、使用する水の加熱のための、ヒータ等の消費電力を削減できる。また、洗浄槽の側壁の外側に貯水タンクの側壁があるので、洗浄槽の側壁が二重構造になり、防音構造にもなる。また、洗浄槽と貯水タンクを樹脂で一体に形成しているので、別に成型する手間もかからない。しかも、別々に成型する場合に比べ、材料費も削減することができる。
【００１５】
第２の発明は、上記第１の発明において、貯水タンクを、洗浄槽の少なくとも一つの面に設けたものであり、例えば、貯水タンクを洗浄槽の複数の面に設けると、洗浄ノズルから噴出された洗浄水は洗浄槽の複数の面に当るので、同時に、複数の貯水タンクの面に洗浄水が当たることになる。よって、貯水タンクに貯まっている水を加熱する効率が上がるとともに、洗浄時の防音効果を大きくすることができる。
【００１６】
第３の発明は、上記第１または第２の発明において、貯水タンクの上面を開閉自在に構成にしたものであり、貯水タンクが汚れた場合、異物が詰まった場合等、上面を開けることにより簡単に洗うことができ、容易にメンテナンスすることができる。なお、側面または下面を開閉自在に構成すると、メンテナンス時には、必ず水を排水する等の手間がかかり、メンテナンス性が悪くなり、しかも、水漏れ防止の為のシール構造が複雑になる。
【００１７】
第４の発明は、上記第１〜３のいずれか１つの発明において、給水手段により貯水タンクより洗浄槽内に給水する給水経路の少なくとも一部の高さを、オーバーフロー口の高さより上になるように構成したものであり、貯水タンクから洗浄槽に給水するための給水手段として、給水ポンプだけで構成が可能である。オーバーフロー口高さより低いと洗浄槽に給水することにより、連通管として貯水タンクの水が通常そのまま流れ続けてしまうので、給水ポンプの動作を止めても給水は止まらない。よって、給水手段として弁装置も必要となり、給水手段が複雑になる。しかし、給水経路の一部の高さをオーバーフロー口高さより高くしたことにより、大気に開放され弁装置が必要とならないので、給水ポンプだけで構成が可能である。
【００１８】
第５の発明は、上記第１〜４のいずれか１つの発明において、洗浄槽の洗浄水位の高さより上になるように貯水タンクを設けたものであり、貯水タンクから洗浄槽に水を給水するための給水手段として、貯水タンクと洗浄槽の水位のヘッド差ができるので、弁装置の開閉だけで給水が可能となる。この場合、給水手段としての給水ポンプは必要でない。
【００１９】
第６の発明は、食器などの被洗浄物を洗浄する洗浄槽と、前記洗浄槽内に給水する水を貯水する貯水タンクと、前記洗浄槽と貯水タンクとを配設した食器洗い機本体とを備え、前記貯水タンクの少なくとも一部分を外部から透視可能に構成したものであり、貯水タンクに貯まっている水量を容易に視認確認でき、水位センサ等の電装部品がなくても使用者が貯水タンクの水位を視認確認し、水道水栓を閉栓するタイミングがわかる。
【００２０】
第７の発明は、食器などの被洗浄物を洗浄する洗浄槽と、前記洗浄槽内に給水する水を貯水する貯水タンクと、前記洗浄槽と貯水タンクとを配設した食器洗い機本体とを備え、前記食器洗い機本体の見えやすい位置に管を配設し、貯水タンクの下方部と前記管を連通して、貯水タンクの水位を視認可能としたものであり、貯水タンクを洗浄槽のどの面に設けても、食器洗い機本体の視認確認しやすい位置に設けることができる。
【００２１】
以下、本発明の実施の形態について、図面を参照しながら説明する。なお、従来例と同じ構成のものは同一符号を付して説明を省略する。また、この実施の形態によって本発明が限定されるものではない。
【００２２】
（実施の形態１）
図１および図２に示すように、食器洗い機本体１８は、内部に樹脂で構成した洗浄槽１９と、貯水タンク２０を配設している。貯水タンク２０は洗浄槽１９の後面に設け、洗浄槽１９の側壁２１と一体で構成し、上面は蓋２２で開閉自在に覆っている。また、貯水タンク２０の側面は外部から内部の水量が透視可能な透明窓２３を設けている。貯水タンク２０への給水は水道水栓３に設けた給水継手２４より分岐させた分岐口２５から給水ホース６を通して給水するように構成している。なお、本実施の形態でいう給水継手２４とは、浄水器やアルカリ整水器に用いられている水道水栓３の蛇口に直接取付けている簡単に取り付け可能な簡易な形状の分岐水栓のことをいう。
【００２３】
また、貯水タンク２０から洗浄槽１９への給水は給水ポンプ２６を駆動することによって、給水ポンプ２６と洗浄槽１９間に設けた給水ホース２７内に水を流し、洗浄槽１９内へ貯水タンク２０から水が給水できるように構成している。本実施の形態では、給水手段とは、給水ポンプ２６と給水ホース２７を用いた構成である。
【００２４】
また、貯水タンク２０には、水道水栓３に設けた給水継手２４の分岐口２５から水を給水する給水口２８と所定量以上の水を排水するオーバーフロー口２９を設けており、給水口２８の高さはオーバーフロー口２９の高さより上になるように設けている。貯水タンク２０の水は洗浄槽１９に給水する給水経路の途中で、一端、給水ホース２７の高さがオーバーフロー口２９の高さより上になるようにしている。なお、他の構成は従来例と同じであり、同一符号を付して説明を省略する。
【００２５】
上記構成において動作を説明する。水道水栓３に取付けた給水継手２４から水を分岐させ、貯水タンク２０内に給水する。貯水タンク２０内に貯まった水は、給水ポンプ２６を駆動することによって洗浄槽１９に給水する。洗浄槽１９に給水完了後は、従来例と同様に、洗浄ポンプ９を駆動させることによって、被洗浄物１４の洗浄を行う。
【００２６】
このように、洗浄に使われる水を貯水タンク２０に一旦水を貯め、給水口２８が給水した水の水位より高くなっているので、流れが逆流しない。また、水道水栓３の開閉で給水を行う場合は、水道水圧が給水継手２４に直接かからないので、耐圧構造を必要とせず、給水継手２４の構造を簡易な形状で構成できる。
【００２７】
しかも、貯水タンク２０と洗浄槽１９を一体としているので、加熱された洗浄水が側壁２１に当ることによって、貯水タンク２０に貯まっている水を加熱することができるので、以後、使用する水の加熱のための、ヒータ１３の消費電力を削減できる。また、洗浄槽１９の側壁２１の外側に貯水タンク２０の側壁もあるので、洗浄槽１９の側壁が二重構造になるので防音構造にもなる。この電力削減、防音効果は、貯水タンク２０を複数の面に構成するほど効果が大きくなる。また、洗浄槽１９と貯水タンク２０を樹脂で一体に成型するので、別に成型する手間もかからない。しかも、別々に成型する場合に比べ、材料費も削減できる。
【００２８】
また、貯水タンク２０の上面に開閉自在な蓋２２を設けているので、貯水タンク２０が汚れた場合や、異物が詰まった場合等、上面の蓋２２を開けることにより簡単に洗うことができ、メンテナンスができる。貯水タンク２０の側面、下面を開閉自在に構成すると、メンテナンス時には、必ず水を排水する手間がかかり、メンテナンス性が悪くなる。しかも、水漏れ防止のためのシール構造が必要で構造が複雑になるのでコストアップや信頼性の低下につながる。上面は、オーバーフロー口２９より上になるので、水位が蓋２２の高さまで上がらない。
【００２９】
また、貯水タンク２０の側面に外部から透視可能な透明窓２３を設けることにより、貯水タンク２０に貯まっている水量を透明窓２３により容易に視認でき、水位センサ等の電装部品がなくても使用者が貯水タンク２０の水位を視認し、水道水栓３を閉栓するタイミングがわかる。なお、本実施の形態では、透明窓２３を設けたが、貯水タンク２０を透明樹脂で形成しても同じように確認できる。
【００３０】
また、給水口２８の高さがオーバーフロー口２９より高いため、貯水タンク２０に満水になっても、水道水栓３の方へ流れが逆流せず、しかも、貯水タンク２０に所定量の水が貯まると、オーバーフロー口２９から水が排水されるので、視認で給水完了もわかる。
【００３１】
また、貯水タンク２０の水を洗浄槽１９に給水する給水経路の途中で、一端、給水ホース２７の高さがオーバーフロー口２９の高さより上になるようにしたことにより、貯水タンク２０から洗浄槽１９に給水するための給水手段として、給水ポンプ２６だけで構成が可能である。給水経路がすべてオーバーフロー口２９高さより低いと洗浄槽１９に給水することにより、連通管として貯水タンク２０の水が通常そのまま流れ続けてしまうので、給水ポンプ２６の動作を止めても給水は止まらない。よって、給水手段として弁装置も必要となり、給水手段が複雑になる。しかし、給水経路の一部の高さをオーバーフロー口２９高さより高くしたことにより、大気に開放されるので、流れが切れ、連通管とならない。よって、弁装置が必要とならないので、給水ポンプ２６だけで構成が可能である。
【００３２】
以上のように、本実施の形態においては、貯水タンク２０を用い、洗浄槽１９の側壁と一体とすることによって、複雑な構造の分岐水栓を必要とせず、専門家による取り付け工事も必要とせず、簡易な形状の給水継手２４等で構成でき、設置性、安全性、使い勝手を大幅に向上することができ、低コスト、省エネルギーを実現できるとともに、洗浄時の騒音を低減することができ、基本性能等を大幅に向上することができる。
【００３３】
（実施の形態２）
図３に示すように、貯水タンク３０は、洗浄槽１９の洗浄水位Ｐの高さより上になるように洗浄槽１９の後面に設け、洗浄槽１９の側壁３１と一体で構成し、上面は蓋２２で開閉自在に覆っている。洗浄槽１９と貯水タンク３０を内蔵した食器洗い機本体３２の見えやすい位置に管３３を配設し、貯水タンク３０の下方部と管３３を連通し、管３３内の水位で貯水タンク３０の水位を視認可能な構成にしている。
【００３４】
貯水タンク３０から洗浄槽１９への給水は貯水タンク３０の下部に設けた弁装置３４を開くことによって、弁装置３４と洗浄槽１９間に設けた給水ホース３５内に水を流し、洗浄槽１９内へ貯水タンク３０から水が給水できるように構成している。本実施の形態では、給水手段とは、弁装置３４と給水ホース３５を用いた構成である。他の構成は上記実施の形態１と同じであり、同一符号を付して説明を省略する。
【００３５】
上記構成において動作を説明する。なお、貯水タンク３０への給水、洗浄槽１９への給水等の基本的な動作は、上記実施の形態１と同じであるので説明を省略する。
【００３６】
本実施の形態のように、洗浄槽１９の洗浄水位Ｐの高さより上になるように貯水タンク３０を設けたことにより、貯水タンク３０から洗浄槽１９に水を給水するための給水手段として、貯水タンク３０と洗浄槽１９の水位のヘッド差ができるので、弁装置３４の開閉だけで給水が可能となる。この場合、給水手段としての給水ポンプは必要でないので、給水ポンプの動作音がないので、より静かに給水でき、静音化ができる。
【００３７】
また、貯水タンク３０を洗浄槽１９の洗浄水位Ｐの高さより上になるように設けることは、食器洗い機の使い勝手もよくすることになる。つまり、卓上型の食器洗い機の場合、流し台等に設置して使用される場合が多く、貯水タンク３０を洗浄槽１９の洗浄水位Ｐの高さより下に設けると、洗浄槽１９内の食器かご１５に被洗浄物１４をセットするときの高さが、貯水タンク３０の内容量分だけ高くなり、背が低い使用者にはセットしにくくなるが、洗浄槽１９の洗浄水位Ｐの高さより上に設けることにより、被洗浄物１４をセットする高さを維持できる。
【００３８】
また、洗浄槽１９と貯水タンク３０を内蔵した食器洗い機本体３２の見えやすい位置に管３３を配設するとともに、貯水タンク３０の下方部と管３３を連通させて、管内３３の水位で貯水タンク３０の水位を視認可能としたことにより、貯水タンク３０を洗浄槽１９のどの面に設けても、食器洗い機本体３２の視認しやすい位置に設けることができる。
【００３９】
卓上型の食器洗い機において、上記実施の形態１のように、貯水タンク３０を食器洗い機本体３２の後面に配置し、貯水タンク３０の側面に透明窓２３を形成すると、設置の仕方によって貯水タンク３０に設けた透明窓２３は見えにくくなることがあるが、食器洗い機本体３２の前面に管３３を配置すれば、置き方に影響されることはない。また、据え置き型の食器洗い機の場合、前面以外は、流し台に入っているので見えないので、特に、本実施の形態は有効である。
【産業上の利用可能性】
【００４０】
以上のように、本発明にかかる食器洗い機は、貯水タンクを用い、洗浄槽の側壁と一体とすることによって、複雑な構造の分岐水栓を必要とせず、取り付けも簡単な簡易な形状の給水継手等で構成でき、設置性、安全性を大幅に向上することができ、低コスト、省エネルギーを実現できるとともに、洗浄時の騒音を低減することができ、使い勝手、基本性能等を大幅に向上することができるので、貯水タンク内の水を洗浄槽内に給水し洗浄する機能を有する食器洗い機として有用である。
【図面の簡単な説明】
【００４１】
【図１】本発明の実施の形態１の食器洗い機の縦断面図
【図２】同食器洗い機の使用状態の一部切欠した斜視図
【図３】本発明の実施の形態２の食器洗い機の縦断面図
【図４】従来の食器洗い機の使用状態の斜視図
【図５】同食器洗い機の縦断面図
【符号の説明】
【００４２】
３  水道水栓
１４  被洗浄物
１９  洗浄槽
２０  貯水タンク
２１  側壁
２４  給水継手
２６  給水ポンプ（給水手段）
２７  給水ホース（給水手段）
【図１】
2005124600.tif 000003
【図２】
2005124600.tif 000004
【図３】
2005124600.tif 000005
【図４】
2005124600.tif 000006
【図５】
2005124600.tif 000007